(57)【要約】【課題】新たな光源に対応する色補正係数の設定のための作業を大幅に低減しつつ正確な測定値としての三刺激値を得ることのできる刺激値直読型計測器を提供する。【解決手段】三つの受光部１２と各実測値を補正して三刺激値を求める補正値演算部（２６）とを備える三刺激値直読型計測器１０である。色補正係数Ｋを求める色補正係数算出部（２７）と、基準分光放射エネルギー特性Ｓ、分光応答度特性Ｒ、等色関数Ｔおよび色補正係数Ｋを記憶する記憶手段（２５）と、を備える。色補正係数算出部（２７）は、等色関数Ｔと基準分光放射エネルギー特性Ｓとの積を可視領域の波長について積分することにより基準三刺激値を求め、各分光応答度特性Ｒと基準分光放射エネルギー特性Ｓとの積を可視領域の波長について積分することにより予測三刺激値を求め、予測三刺激値を基準三刺激値で除算することにより刺激値毎の色補正係数Ｋを求める。【選択図】  図５
2010164355.tif 000002
【特許請求の範囲】
【請求項１】
被測定物の三刺激値を計測すべく所定の分光応答度特性を有する受光部と、
前記被測定物を測定した前記受光部により取得された実測値に色補正係数を乗算して前記各実測値を補正した前記三刺激値を求める補正値演算部と、
前記被測定物について基準となる基準被測定物の基準分光放射エネルギー特性を記憶する基準分光放射エネルギー特性記憶手段と、
前記受光部の前記分光応答度特性を記憶する分光応答度特性記憶手段と、
等色関数を記憶する等色関数記憶手段と、
該等色関数記憶手段、前記分光応答度特性記憶手段および前記基準分光放射エネルギー分布特性記憶手段に記憶された各特性に基づいて前記色補正係数を求める色補正係数算出部と、
該色補正係数算出部により求められた前記色補正係数を記憶する色補正係数記憶手段と、を備え、
前記色補正係数算出部は、前記等色関数と前記基準分光放射エネルギー特性との積を可視領域の波長について積分することにより基準三刺激値を求め、前記分光応答度特性と前記基準分光放射エネルギー特性との積を可視領域の波長について積分することにより該基準分光放射エネルギー特性を前記受光部で計測すると得られるべき予測三刺激値を求め、該予測三刺激値を前記基準三刺激値で除算することにより刺激値毎の前記色補正係数を求めることを特徴とする刺激値直読型計測器。
【請求項２】
前記基準分光放射エネルギー特性記憶手段は、基準分光放射エネルギー特性入力手段を介して入力された前記基準分光放射エネルギー特性のデータを記憶可能であることを特徴とする請求項１に記載の刺激値直読型計測器。
【請求項３】
前記基準分光放射エネルギー特性記憶手段は、分光型計測器により計測された前記基準分光放射エネルギー特性のデータを取得して記憶可能であることを特徴とする請求項１に記載の刺激値直読型計測器。
【請求項４】
前記受光部は、所定の波長領域の光の透過を許す光学フィルタと、該光学フィルタを経た光を受光する受光素子と、を有し、
前記分光応答度特性は、前記光学フィルタと前記受光素子とが前記受光部として組み付けられた状態において、該受光部における受光光量に対する出力を実測することにより得られたものであることを特徴とする請求項１ないし請求項３のいずれか１項に記載の刺激値直読型計測器。
【請求項５】
被測定物の三刺激値を計測すべく所定の分光応答度特性を有する受光部と、前記被測定物を測定した前記受光部により取得された実測値に色補正係数を乗算して前記各実測値を補正した前記三刺激値を求める補正値演算部と、前記色補正係数を記憶する色補正係数記憶手段と、前記受光部の前記分光応答度特性を記憶する分光応答度特性記憶手段と、を備える刺激値直読型計測器であって、
前記被測定物について基準となる基準被測定物の基準分光放射エネルギー特性と等色関数との積を可視領域の波長について積分することにより基準三刺激値を求め、前記分光応答度特性と前記基準分光放射エネルギー特性との積を可視領域の波長について積分することにより該基準分光放射エネルギー特性を前記受光部で計測すると得られるべき予測三刺激値を求め、該予測三刺激値を前記基準三刺激値で除算することにより前記色補正係数を求め、該色補正係数を前記色補正係数記憶手段に記憶させる色補正係数算出部を備えることを特徴とする刺激値直読型計測器。
【請求項６】
被測定物の三刺激値を計測すべく所定の分光応答度特性を有する受光部と、
前記被測定物を測定した前記受光部により取得された実測値に色補正係数を乗算して前記各実測値を補正した前記三刺激値を求める補正値演算部と、
前記被測定物について基準となる基準被測定物の基準分光放射エネルギー特性を記憶する基準分光放射エネルギー特性記憶手段と、
前記受光部の前記分光応答度特性を記憶する分光応答度特性記憶手段と、
等色関数を記憶する等色関数記憶手段と、
該等色関数記憶手段、前記分光応答度特性記憶手段および前記基準分光放射エネルギー分布特性記憶手段に記憶された各特性に基づいて前記色補正係数を求める色補正係数算出部と、
該色補正係数算出部により求められた前記色補正係数を記憶する色補正係数記憶手段と、を備え、
前記色補正係数算出部は、前記等色関数と前記基準分光放射エネルギー特性との積を可視領域の波長について積分することにより基準三刺激値を求め、前記分光応答度特性と前記基準分光放射エネルギー特性との積を可視領域の波長について積分することにより該基準分光放射エネルギー特性を前記受光部で計測すると得られるべき予測三刺激値を求め、該予測三刺激値を前記基準三刺激値で除算することにより前記色補正係数を求めることを特徴とする刺激値直読型計測システム。
【請求項７】
所定の分光応答度特性を有する受光部で被測定物を測定することにより補正前の実測値を取得する実測値取得工程と、
前記受光部により取得された前記実測値に色補正係数を乗算することにより前記実測値を補正して前記三刺激値を求める測定演算工程と、を備える刺激値直読型計測方法であって、
前記被測定物について基準となる基準被測定物の基準分光放射エネルギー特性と等色関数との積を可視領域の波長について積分することにより基準三刺激値を求め、前記分光応答度特性と前記基準分光放射エネルギー特性との積を可視領域の波長について積分することにより該基準分光放射エネルギー特性を前記受光部で計測すると得られるべき予測三刺激値を求め、該予測三刺激値を前記基準三刺激値で除算することにより前記色補正係数を求めることを特徴とする刺激値直読型計測方法。
【発明の詳細な説明】
【技術分野】
【０００１】
本発明は、刺激値直読方式を用いた光計測装置に関する。
【背景技術】
【０００２】
従来、プロジェクタ等の画像形成装置における表示画像の品質の検査ために、安価でかつ測定時間の短い三刺激値直読方式を用いた光計測装置（以下、三刺激値直読型計測器という）が用いられている。この三刺激値直読型計測器は、人間の目に対応する分光感度いわゆる等色関数と略同一の感度を持つ三つのセンサ（刺激値受光部）で測定対象となる光源（上記した例では画像形成装置）を測定することにより、三刺激値を直接測定するものである。このような三つの刺激値受光部は、それぞれ光学フィルタと受光素子とにより構成され、当該光学フィルタを透過した光を当該受光素子で受光した際の波長毎の感度（分光応答度特性）が、それぞれが対応される刺激値毎に等色関数に一致するように設定されている。
【０００３】
ところが、上記した構成の三つの刺激値受光部では、その分光応答度特性が等色関数と完全に一致するように光学フィルタと受光素子とを設計することは困難である。このため、三刺激値直読型計測器により得られる実測値には、等色関数に準拠した分光型計測器で得られる計測値（以下、基準測定値という）を基準とすると、分光応答度特性と等色関数との差異に起因して誤差が生じてしまう。このような実測値の誤差をなくす方法として、基準測定値を用いて三刺激値直読型計測器により得られる実測値を補正することが知られている（例えば、特許文献１参照）。
【０００４】
この補正方法では、補正対象となる三刺激値直読型計測器と分光型計測器とで、補正用の光源（基準となる画像形成装置）を各々測定し、三刺激値直読型計測器による実測値を分光型計測器による基準測定値に一致させる色補正係数（色変換パラメータ）を求めて記憶しておく。そして、光源（上記した例では画像形成装置）を三刺激値直読型計測器にて実測する際に、三刺激値直読型計測器の実測値を色補正係数で補正し、補正した実測値を測定値としての三刺激値として出力する。
【先行技術文献】
【特許文献】
【０００５】
【特許文献１】特開２００７−３２２２０３号公報
【発明の概要】
【発明が解決しようとする課題】
【０００６】
しかしながら、上記した補正方法は、補正用の光源（基準となる画像形成装置）を基準として求めた色補正係数を用いるものであることから、補正用の光源のスペクトル形状（分光放射エネルギー特性）に等しいスペクトル形状を有する光源を測定したときにのみ有効である（正確に補正することができる）。このため、スペクトル形状の異なる光源（上記した例では、異なる型式の画像形成装置）を測定対象とする毎に、当該スペクトル形状に対応する色補正係数を用いる必要がある。
【０００７】
ここで、光源のスペクトル形状は、光源（上記した例では画像形成装置）の種類や型式が異なる毎に異なるものであることから、光源のあらゆる種類や型式に対応するデータを予め用意することは不可能であるので、適切な色補正係数を求めるためには使用者自らが光源の種類や型式に応じて測定により求める必要がある。すると、例えば、１台の三刺激値直読型計測器で１００種類の画像形成装置の表示画像の品質の検査を行う場合、使用者は、当該三刺激値直読型計測器と分光型計測器とで１００種類の画像形成装置（またはそれに対応する補正用の光源）を１００回ずつ、合計２００回測定して、１００種類の画像形成装置（そのスペクトル形状）に対応する色補正係数を求めなければならない。また、色補正係数としては、三刺激値のそれぞれに関してデータが必要となることから、使用者は、合計６００個のデータを管理する必要があり、この６００個のデータに基づいて３００個の色補正係数を求め、各色補正係数を１００種類の画像形成装置の対応関係とともに管理する必要がある。
【０００８】
また、このように沢山のデータの管理をしていても、新たな種類や型式の画像形成装置を表示画像の品質の検査対象として加える度に、当該画像形成装置に対応する色補正係数を求める作業が必要となるとともに、当該色補正係数に関する新たな複数のデータを管理事項に加える必要がある。
【０００９】
さらに、実際には、使用者は、検査対象の画像形成装置が大量である場合、同型の三刺激値直読型計測器を複数台用いて表示画像の品質の検査を行うことが想定されるが、同型であっても各三刺激値直読型計測器には器差（例えば、三つの刺激値受光部すなわち光学フィルタや受光素子の個体差に基づく分光応答度特性の差異）があることから、正確な三刺激値を得るためには、使用する三刺激値直読型計測器毎に検査対象となる画像形成装置に対応する色補正係数を求めて各データを管理する必要がある。
【００１０】
本発明は、上記の事情に鑑みて為されたもので、新たな光源に対応する色補正係数の設定のための作業を大幅に低減しつつ正確な測定値としての三刺激値を得ることのできる刺激値直読型計測器を提供することを目的とする。
【課題を解決するための手段】
【００１１】
請求項１に記載の発明は、被測定物の三刺激値を計測すべく所定の分光応答度特性を有する受光部と、前記被測定物を測定した前記受光部により取得された実測値に色補正係数を乗算して前記各実測値を補正した前記三刺激値を求める補正値演算部と、前記被測定物について基準となる基準被測定物の基準分光放射エネルギー特性を記憶する基準分光放射エネルギー特性記憶手段と、前記受光部の前記分光応答度特性を記憶する分光応答度特性記憶手段と、等色関数を記憶する等色関数記憶手段と、該等色関数記憶手段、前記分光応答度特性記憶手段および前記基準分光放射エネルギー分布特性記憶手段に記憶された各特性に基づいて前記色補正係数を求める色補正係数算出部と、該色補正係数算出部により求められた前記色補正係数を記憶する色補正係数記憶手段と、を備え、前記色補正係数算出部は、前記等色関数と前記基準分光放射エネルギー特性との積を可視領域の波長について積分することにより基準三刺激値を求め、前記分光応答度特性と前記基準分光放射エネルギー特性との積を可視領域の波長について積分することにより該基準分光放射エネルギー特性を前記受光部で計測すると得られるべき予測三刺激値を求め、該予測三刺激値を前記基準三刺激値で除算することにより刺激値毎の前記色補正係数を求めることを特徴とする。
【００１２】
請求項２に記載の発明は、請求項１に記載の刺激値直読型計測器であって、前記基準分光放射エネルギー特性記憶手段は、基準分光放射エネルギー特性入力手段を介して入力された前記基準分光放射エネルギー特性のデータを記憶可能であることを特徴とする。
【００１３】
請求項３に記載の発明は、請求項１に記載の刺激値直読型計測器であって、前記基準分光放射エネルギー特性記憶手段は、分光型計測器により計測された前記基準分光放射エネルギー特性のデータを取得して記憶可能であることを特徴とする。
【００１４】
請求項４に記載の発明は、請求項１ないし請求項３のいずれか１項に記載の刺激値直読型計測器であって、前記受光部は、所定の波長領域の光の透過を許す光学フィルタと、該光学フィルタを経た光を受光する受光素子と、を有し、前記分光応答度特性は、前記光学フィルタと前記受光素子とが前記受光部として組み付けられた状態において、該受光部における受光光量に対する出力を実測することにより得られたものであることを特徴とする。
【００１５】
請求項５に記載の発明は、被測定物の三刺激値を計測すべく所定の分光応答度特性を有する受光部と、前記被測定物を測定した前記受光部により取得された実測値に色補正係数を乗算して前記各実測値を補正した前記三刺激値を求める補正値演算部と、前記色補正係数を記憶する色補正係数記憶手段と、前記受光部の前記分光応答度特性を記憶する分光応答度特性記憶手段と、を備える刺激値直読型計測器であって、前記被測定物について基準となる基準被測定物の基準分光放射エネルギー特性と等色関数との積を可視領域の波長について積分することにより基準三刺激値を求め、前記分光応答度特性と前記基準分光放射エネルギー特性との積を可視領域の波長について積分することにより該基準分光放射エネルギー特性を前記受光部で計測すると得られるべき予測三刺激値を求め、該予測三刺激値を前記基準三刺激値で除算することにより前記色補正係数を求め、該色補正係数を前記色補正係数記憶手段に記憶させる色補正係数算出部を備えることを特徴とする。
【００１６】
請求項６に記載の発明は、被測定物の三刺激値を計測すべく所定の分光応答度特性を有する受光部と、前記被測定物を測定した前記受光部により取得された実測値に色補正係数を乗算して前記各実測値を補正した前記三刺激値を求める補正値演算部と、前記被測定物について基準となる基準被測定物の基準分光放射エネルギー特性を記憶する基準分光放射エネルギー特性記憶手段と、前記受光部の前記分光応答度特性を記憶する分光応答度特性記憶手段と、等色関数を記憶する等色関数記憶手段と、該等色関数記憶手段、前記分光応答度特性記憶手段および前記基準分光放射エネルギー分布特性記憶手段に記憶された各特性に基づいて前記色補正係数を求める色補正係数算出部と、該色補正係数算出部により求められた前記色補正係数を記憶する色補正係数記憶手段と、を備え、前記色補正係数算出部は、前記等色関数と前記基準分光放射エネルギー特性との積を可視領域の波長について積分することにより基準三刺激値を求め、前記分光応答度特性と前記基準分光放射エネルギー特性との積を可視領域の波長について積分することにより該基準分光放射エネルギー特性を前記受光部で計測すると得られるべき予測三刺激値を求め、該予測三刺激値を前記基準三刺激値で除算することにより前記色補正係数を求めることを特徴とする。
【００１７】
請求項７に記載の発明は、所定の分光応答度特性を有する受光部で被測定物を測定することにより補正前の実測値を取得する実測値取得工程と、前記受光部により取得された前記実測値に色補正係数を乗算することにより前記実測値を補正して前記三刺激値を求める測定演算工程と、を備える刺激値直読型計測方法であって、前記被測定物について基準となる基準被測定物の基準分光放射エネルギー特性と等色関数との積を可視領域の波長について積分することにより基準三刺激値を求め、前記分光応答度特性と前記基準分光放射エネルギー特性との積を可視領域の波長について積分することにより該基準分光放射エネルギー特性を前記受光部で計測すると得られるべき予測三刺激値を求め、該予測三刺激値を前記基準三刺激値で除算することにより前記色補正係数を求めることを特徴とする。
【発明の効果】
【００１８】
本発明の刺激値直読型計測器によれば、等色関数と受光部の分光応答度特性と基準被測定物の基準分光放射エネルギー特性とに基づいて色補正係数を求めることから、種類や型式の異なる光源を被測定物とする際に、その被測定物の基準分光放射エネルギー特性さえわかれば色補正係数を求めることができるので、色補正係数の算出のために当該被測定物を測定する作業をなくすことができる。
【００１９】
また、受光部における分光応答度特性と基準分光放射エネルギー特性とから予測三刺激値が求められていることから、この予測三刺激値は、基準分光放射エネルギー特性を有する光源（被測定物）を当該受光部により測定して得られる刺激値としての実測値と等しいものとなる。このため、予測三刺激値を基準三刺激値で除算することにより求められた刺激値毎の色補正係数は、その算出に用いた基準分光放射エネルギー特性を有する光源（被測定物）を測定対象とする限り、当該受光部により測定して得られる実測値を適切に補正することができ、補正された実測値すなわち正確な刺激値を得ることができる。
【００２０】
上記した構成に加えて、前記基準分光放射エネルギー特性記憶手段は、基準分光放射エネルギー特性入力手段を介して入力された前記基準分光放射エネルギー特性のデータを記憶可能であることとすると、基準分光放射エネルギー特性入力手段で基準分光放射エネルギー特性のデータを入力するだけで、その基準分光放射エネルギー特性のデータに基づいて色補正係数を求めることができ、新たな光源（被測定物）を測定対象とすることができる。このため、例えば、新たな光源（被測定物）において設定されている設計値としての基準分光放射エネルギー特性のデータを入力すれば、この新たな光源（被測定物）の三刺激値を適切に測定することができる。
【００２１】
上記した構成に加えて、前記基準分光放射エネルギー特性記憶手段は、分光型計測器により計測された前記基準分光放射エネルギー特性のデータを取得して記憶可能であることとすると、新たな光源（被測定物）を分光型計測器で計測するだけで、その計測により得られた基準分光放射エネルギー特性のデータに基づいて色補正係数を求めることができる。このため、新たな光源（被測定物）を測定対象とすることができ、この新たな光源（被測定物）の三刺激値を適切に測定することができる。
【００２２】
上記した構成に加えて、前記受光部は、所定の波長領域の光の透過を許す光学フィルタと、該光学フィルタを経た光を受光する受光素子と、を有し、前記分光応答度特性は、前記光学フィルタと前記受光素子とが前記受光部として組み付けられた状態において、該受光部における受光光量に対する出力を実測することにより得られたものであることとすると、光学フィルタと受光素子とがそれぞれ組み付けられた状態における受光部を実測することにより得られた分光応答度特性を用いて色補正係数を求めることから、受光部による実測値をより適切に補正することができ、より適切な三刺激値を得ることができる。
【図面の簡単な説明】
【００２３】
【図１】本発明に係る刺激値直読型計測器の一例である三刺激値直読型計測器の概略構成を示す説明図である。
【図２】２°視野の等色関数Ｔと、三刺激値直読型計測器の各刺激値受光部における分光応答度特性の一例とを示すグラフである。
【図３】光源の一例としてのカラーＬＣＤの基準分光放射エネルギー特性を示すグラフである。
【図４】光源の他の例としての三色のＬＥＤを光源とする表示装置の基準分光放射エネルギー特性を示すグラフである。
【図５】色補正係数を求める工程を説明するためのフローチャートである。
【図６】本発明に係る三刺激値直読型計測システムの概略構成を示す説明図である。
【図７】三刺激値直読型計測システムでの測定の流れを示すフローチャートである。
【図８】複数の画像形成装置の表示画像の品質の検査を行っている様子を示す説明図であり、（ａ）は本発明に係る三刺激値直読型計測器を用いた場合を示し、（ｂ）は従来の三刺激値直読型計測器を用いた場合を示している。
【発明を実施するための形態】
【００２４】
以下に、本発明に係る刺激値直読型計測器の発明の実施の形態を図面を参照しつつ説明する。
【実施例】
【００２５】
図１は本発明に係る刺激値直読型計測器の一例である三刺激値直読型計測器１０の概略構成を示す説明図である。図２は、２°視野の等色関数Ｔと、三刺激値直読型計測器１０の各受光部１２における分光応答度特性Ｒの一例とを示すグラフである。図３は、測定対象の一例としてのカラーＬＣＤの基準分光放射エネルギー特性Ｓを示すグラフであり、図４は、測定対象の他の例としての三色のＬＥＤを光源とする表示装置の基準分光放射エネルギー特性Ｓを示すグラフである。なお、図３および図４では、Ｘ（赤）、Ｙ（緑）、Ｚ（青）をそれぞれの最高値で規格化して示している。図５は、色補正係数Ｋを求める工程を説明するためのフローチャートである。
【００２６】
三刺激値直読型計測器１０は、測定対象（被測定物）となる光源の特性（例えば、輝度、照度、色度、色差等）を計測するものであり、例えば、画像形成装置としての液晶パネル（カラーＬＣＤ）の表示特性を計測するものである。
【００２７】
三刺激値直読型計測器１０は、図１に示すように、計測光学系１１と三つの受光部１２と三つの増幅回路１３と三つのＡ−Ｄ変換回路１４とデータ処理部１５と制御部１６と操作部１７と表示部１８とを有する。
【００２８】
制御部１６は、計測光学系１１、各増幅回路１３、各Ａ−Ｄ変換回路１４、データ処理部１５および表示部１８を統括的に制御する。操作部１７に為された操作は、制御部１６を介して実行されることとなる。この操作部１７に為される操作とは、測定対象の設定（切り替え）、後述する基準分光放射エネルギー特性Ｓ（図３および図４参照）の入力、後述する色補正係数Ｋの設定および測定開始等の三刺激値直読型計測器１０を利用するための操作である。表示部１８は、操作部１７による操作の補助のための表示や、測定結果としての三刺激値（後述する補正後の三刺激値（Ｘｏ、Ｙｏ、Ｚｏ））等の表示を行う。
【００２９】
計測光学系１１は、対物レンズ１９と偏光解消子２０と光学シャッター２１と三分岐光学系２２とが図示を略す筐体に収容されて構成されており、対物レンズ１９および偏光解消子２０を経て入射した光を三分岐光学系２２で三等分して三つの受光部１２へと導く。光学シャッター２１は、図示は略すが駆動機構により偏光解消子２０と三分岐光学系２２との間の光路上を出し入れ自在に保持されており、この出し入れは制御部１６の制御下で行われる。この計測光学系１１を収容する筐体（図示せず）は、遮光性に優れた材料から形成された筒状を呈し、外光を遮光する役割を果たす。
【００３０】
この計測光学系１１により光が導かれる三つの受光部１２は、被測定物の三刺激値を計測すべく互いに異なる刺激値に対応する分光応答度特性を有するものであり、被測定物を測定することにより補正前の実測値を取得することができる。この三つの受光部１２は、それぞれ分光感度補正フィルタ２３と受光素子２４とが組み合わせられて構成されている。各分光感度補正フィルタ２３は、Ｘ（赤）、Ｙ（緑）、Ｚ（青）の各波長領域に感度を有する光学フィルタであり、三つの受光部１２が、互いに異なる刺激値に対応する分光応答度（特性）とされている。
【００３１】
この分光応答度（特性）とは、各受光部１２において、受光光量に対して出力する信号の強度の比を波長毎に示したものであり、分光感度補正フィルタ２３における分光透過特性と受光素子２４における分光感度特性とに依存するものである。各受光部１２は、それぞれが対応する刺激値における等色関数Ｔ（図２参照）と略等しくなる分光応答度特性Ｒ（図２参照）に設定されており、対応する分光感度補正フィルタ２３を透過した光束を各受光素子２４が受光することで光の三刺激値を得ることができる。なお、等色関数Ｔは、ＣＩＥ（Ｃｏｍｍｉｓｓｉｏｎ  Ｉｎｔｅｒｎａｔｉｏｎａｌｅ  ｄｅ  ｌ'Ｅｃｌａｉｒａｇｅ）で定められた等エネルギースペクトルに対する目の感度であるスペクトル刺激値の感度曲線（特性）であり、図２に示すように、波長毎の分光応答度の大きさで表すことができる。
【００３２】
この三つの受光部１２は、図１に示すように、計測光学系１１により光が導かれると、自らの分光感度特性に応じた強度の信号を、それぞれに対応された増幅回路１３へ出力する。各受光部１２から出力された信号は、増幅回路１３により適宜増幅された後、それぞれに対応されたＡ−Ｄ変換回路１４でアナログからデジタルへと変換されて、データ処理部１５へ出力される。
【００３３】
データ処理部１５は、メモリ２５と補正値演算回路２６と色補正係数算出回路２７とを有する。
【００３４】
メモリ２５は、上述した三つの受光部１２が三刺激値直読型計測器１０として組み付けられた状態において、実測により求めた当該各受光部１２の分光応答度（分光応答度特性Ｒ）を格納（記憶）するものである。このため、メモリ２５は、分光応答度特性記憶手段として機能する。この分光応答度（分光応答度特性Ｒ）の実測の方法については後述する。
【００３５】
また、本実施例では、メモリ２５には、後述する基準分光放射エネルギー特性Ｓ（刺激値毎に示すときはＳｘ(λ)、Ｓｙ(λ)、Ｓｚ(λ)とする。）、後述する色補正係数Ｋ（刺激値毎に示すときはＫｘ、Ｋｙ、Ｋｚとする。）および等色関数Ｔ（刺激値毎に示すときは後述するようにｘ(λ)、ｙ(λ)、ｚ(λ)とする。）が格納されている。このメモリ２５は、例えば、ＲＡＭやＲＯＭ等で構成することができるが、本実施例では、記憶した基準分光放射エネルギー特性Ｓや色補正係数Ｋを書き換え可能な構成とすることから、書き換え可能な媒体で構成されている。なお、このメモリ２５への格納および書き換えは、制御部１６の制御下で行われる。
【００３６】
補正値演算回路２６は、各受光部１２により取得されＡ−Ｄ変換回路１４から出力された測定信号Ｍ（実測値）を取得可能であるとともに、後述するようにメモリ２５に記憶された色補正係数Ｋを読み出し可能である。補正値演算回路２６は、測定信号Ｍに色補正係数Ｋを乗算することにより実測値である測定信号Ｍを補正して出力値としての三刺激値（Ｘｏ、Ｙｏ、Ｚｏ）を求める。このため、補正値演算回路２６は、各受光部１２により取得された各実測値に、その各実測値が対応される刺激値に関して設定される色補正係数を乗算することにより各実測値を補正して三刺激値を求める補正値演算部として機能する。三刺激値直読型計測器１０では、この補正値演算回路２６により補正された後の三刺激値（Ｘｏ、Ｙｏ、Ｚｏ）が、測定された三刺激値として出力されることとなる。
【００３７】
この補正値演算回路２６において用いられる色補正係数Ｋを求めるのが色補正係数算出回路２７である。色補正係数算出回路２７における色補正係数Ｋの求め方については後述するが、この色補正係数算出回路２７が色補正係数算出部として機能することとなる。色補正係数算出回路２７は、求めた色補正係数Ｋをメモリ２５に格納する。このため、メモリ２５は、色補正係数Ｋを記憶する色補正係数記憶手段として機能する。
【００３８】
また、メモリ２５に格納される基準分光放射エネルギー特性Ｓ（図３および図４参照）は、測定対象となる光源（画像形成装置２８（図６参照））において基準となる画像形成装置で各刺激値を表示した際の波長毎の強度の分布を示すものであり、三つの刺激値に対応してＳｘ(λ)、Ｓｙ(λ)、Ｓｚ(λ)を有する。この基準分光放射エネルギー特性Ｓにおける強度は、測定したい光源の特性の種類（例えば、輝度、照度、色度、色差等）に応じて対象が異なるものであり、例えば、特性として輝度を測定する場合には放射輝度の強度となり、特性として照度を測定する場合には放射照度の強度となる。このように、本明細書では、分光放射輝度特性や分光放射照度特性等を総称して基準分光放射エネルギー特性Ｓとしている。
【００３９】
この基準分光放射エネルギー特性Ｓは、測定対象となる光源（画像形成装置２８（図６参照））における基準器として製作されたもの自体を分光型計測器（図示せず）で測定することにより得ることができる。本実施例では、三刺激値直読型計測器１０は、図示は略すが分光型計測器（図示せず）の接続のための端子を有し、そこに接続した分光型計測器で被測定物（その基準となる光源）測定すると、その測定結果としての基準分光放射エネルギー特性Ｓのデータを三刺激値直読型計測器１０（そのメモリ２５）が直接取得する構成とされている。
【００４０】
また、基準分光放射エネルギー特性Ｓとしては、測定対象となる画像形成装置２８（図６参照）において三刺激値を表示するものとして予め設定された設定値（いわゆる設計値）を用いることもできる。このような設計値は、入手が容易であり、特に、製造した画像形成装置における表示画像の品質の検査の場面では確実に入手することができる。
【００４１】
この基準分光放射エネルギー特性Ｓは、測定対象の種類や型式に応じて異なるものであることから、測定対象を変更する度に新たな測定対象に対応するデータを取得する必要がある。本実施例では、基準分光放射エネルギー特性Ｓは、予め設定された設計値としてのデータが操作部１７を介して入力されることにより、メモリ２５に格納可能な構成とされている。このため、メモリ２５は、基準分光放射エネルギー特性Ｓを記憶する基準分光放射エネルギー特性記憶手段として機能する。また、操作部１７は、基準分光放射エネルギー特性Ｓのデータを入力するための基準分光放射エネルギー特性入力手段として機能する。
【００４２】
さらに、メモリ２５に格納される等色関数Ｔ（ｘ(λ)、ｙ(λ)、ｚ(λ)）は、上述したようにＣＩＥで定められたものであり測定対象の変更に拘らず一定値であることから、製品としての三刺激値直読型計測器１０が製造される工程において、予めメモリ２５に格納されている。
【００４３】
【数１】
2010164355.tif 000003
【００４４】
本実施例の三刺激値直読型計測器１０では、等色関数Ｔとして、２°視野の等色関数と１０°視野の等色関数とがメモリ２５に格納されており、用途に応じて切り換え可能とされている。このため、メモリ２５は、等色関数ｘ(λ)、ｙ(λ)、ｚ(λ)を記憶する等色関数記憶手段として機能する。なお、本実施例の三刺激値直読型計測器１０では、メモリ２５に格納された等色関数Ｔを変更する機能と、この変更された値を元の値に戻す機能と、が設けられている。この等色関数Ｔを変更することにより、後述する基準三刺激値Ｘｓ、Ｙｓ、Ｚｓを調整することができるので、例えば、光源の特性を検査する際の基準となる目の感度曲線（特性）に独自性を持たせることができる。
【００４５】
次に、メモリ２５に格納される分光応答度特性Ｒ（Ｒｘ(λ)、Ｒｙ(λ)、Ｒｚ(λ)）（図２参照）について説明する。
【００４６】
分光応答度特性Ｒｘ(λ)、Ｒｙ(λ)、Ｒｚ(λ)は、図２に示すように、各受光部１２において、受光光量に対して出力する信号の強度の比を波長毎に示したものであり、分光感度補正フィルタ２３における分光透過特性と受光素子２４における分光感度特性とに依存するものである。ここで、設計値に合致する分光透過特性を有する分光感度補正フィルタ２３を製造すること、および設計値に合致する分光感度特性を有する受光素子２４を製造することは困難であることから、各受光部１２の分光応答度特性Ｒｘ(λ)、Ｒｙ(λ)、Ｒｚ(λ)を等色関数ｘ(λ)、ｙ(λ)、ｚ(λ)に完全に一致させることは困難である。また、分光感度補正フィルタ２３および受光素子２４には、それぞれに製造誤差があるとともに、三刺激値直読型計測器１０として組み付けられた状態における組付誤差も生じる虞がある。このため、同一の設定であっても、製造された各三刺激値直読型計測器１０の間では、実際の分光応答度特性Ｒに差異が生じてしまう。
【００４７】
このため、本発明に係る三刺激値直読型計測器１０では、分光感度補正フィルタ２３および受光素子２４を有する三つの受光部１２が組み付けられた状態において、この各受光部１２における分光応答度特性Ｒｘ(λ)、Ｒｙ(λ)、Ｒｚ(λ)を実測により取得し、そのデータをメモリ２５に格納している。この実測は次のように行う。
【００４８】
製造された三刺激値直読型計測器１０で所定の強度とされた単波長の光を測定することにより、当該波長おいて所定の強度に対する三つの受光部１２からの出力値をそれぞれ得ることができる。この測定を、所定の強度とされた単波長の光の波長を、可視領域（例えば、３８０ｎｍ〜７８０ｎｍの範囲）における複数の任意の値に適宜変化させて（例えば、測定する光の波長を３８０ｎｍから５ｎｍずつ増加させていく。）行う。これにより、可視領域において、波長に対する三つの受光部１２からの出力値の変動のデータを得ることができる。このデータが各三刺激値直読型計測器１０（その三つの受光部１２）において、受光光量に対して出力する信号の強度の比を波長毎に示す固有の分光応答度特性Ｒｘ(λ)、Ｒｙ(λ)、Ｒｚ(λ)となる。このように実測した分光応答度特性Ｒｘ(λ)、Ｒｙ(λ)、Ｒｚ(λ)は、三刺激値直読型計測器１０が出荷される前に、当該三刺激値直読型計測器１０における固有のデータとして各々メモリ２５に格納される。
【００４９】
次に、本発明に係る三刺激値直読型計測器１０の色補正係数算出回路２７における色補正係数Ｋの求め方について、以下で図５のフローチャートを用いて説明する。
【００５０】
先ず、基準分光放射エネルギー特性Ｓｘ(λ)、Ｓｙ(λ)、Ｓｚ(λ)のデータを取得してメモリ２５に格納する（ステップＳ１）。この基準分光放射エネルギー特性Ｓｘ(λ)、Ｓｙ(λ)、Ｓｚ(λ)のデータの取得は、本実施例では、上述したように、測定対象となる光源（画像形成装置２８（図６参照））において予め設定された設定値としてのデータ（基準分光放射エネルギー特性Ｓｘ(λ)、Ｓｙ(λ)、Ｓｚ(λ)）が操作部１７を介して入力されることにより行われる。
【００５１】
色補正係数算出回路２７は、メモリ２５に格納された基準分光放射エネルギー特性Ｓｘ(λ)、Ｓｙ(λ)、Ｓｚ(λ)と、等色関数ｘ(λ)、ｙ(λ)、ｚ(λ)と、から次式（１）により基準三刺激値Ｘｓ、Ｙｓ、Ｚｓを求める（ステップＳ２）。なお、次式（１）中でのｋｍは、三刺激値Ｙｓの値が側光量に一致するように定められた比例係数である。
【００５２】
【数２】
2010164355.tif 000004
【００５３】
この基準三刺激値Ｘｓ、Ｙｓ、Ｚｓは、基準分光放射エネルギー特性Ｓｘ(λ)、Ｓｙ(λ)、Ｓｚ(λ)を有する光源（本実施例では画像形成装置２８（図６参照））から出射された光における三刺激値そのものを表したもの、すなわち基準分光放射エネルギー特性Ｓｘ(λ)、Ｓｙ(λ)、Ｓｚ(λ)自体を三刺激値で表したものとなる。換言すると、基準三刺激値Ｘｓ、Ｙｓ、Ｚｓは、基準分光放射エネルギー特性Ｓｘ(λ)、Ｓｙ(λ)、Ｓｚ(λ)を、等色関数ｘ(λ)、ｙ(λ)、ｚ(λ)にしたがって波長毎に重み付けした値である。
【００５４】
色補正係数算出回路２７は、メモリ２５に格納された基準分光放射エネルギー特性Ｓｘ(λ)、Ｓｙ(λ)、Ｓｚ(λ)と、分光応答度特性Ｒｘ(λ)、Ｒｙ(λ)、Ｒｚ(λ)と、から次式（２）により予測三刺激値Ｘｉ、Ｙｉ、Ｚｉを求める（ステップＳ３）。なお、次式（２）中でのｋｍは、三刺激値Ｙｉの値が側光量に一致するように定められた比例係数である。
【００５５】
【数３】
2010164355.tif 000005
【００５６】
この予測三刺激値Ｘｉ、Ｙｉ、Ｚｉは、基準分光放射エネルギー特性Ｓｘ(λ)、Ｓｙ(λ)、Ｓｚ(λ)を有する光源（本実施例では画像形成装置２８（図６参照））から出射された光を、当該三刺激値直読型計測器１０（算出に用いた分光応答度特性Ｒｘ(λ)、Ｒｙ(λ)、Ｒｚ(λ)を有する三つの受光部１２）で計測すると、計測結果として得られることが予測される三刺激値である。換言すると、予測三刺激値Ｘｉ、Ｙｉ、Ｚｉは、基準分光放射エネルギー特性Ｓｘ(λ)、Ｓｙ(λ)、Ｓｚ(λ)を、分光応答度特性Ｒｘ(λ)、Ｒｙ(λ)、Ｒｚ(λ)にしたがって波長毎に重み付けした値である。
【００５７】
色補正係数算出回路２７は、基準三刺激値Ｘｓ、Ｙｓ、Ｚｓと、予測三刺激値Ｘｉ、Ｙｉ、Ｚｉと、から次式（３）により色補正係数Ｋｘ、Ｋｙ、Ｋｚを求める（ステップＳ４）。
【００５８】
Ｋｘ＝Ｘｓ／Ｘｉ
Ｋｙ＝Ｙｓ／Ｙｉ                                  （３）
Ｋｚ＝Ｚｓ／Ｚｉ
このように色補正係数算出回路２７は、色補正係数Ｋｘ、Ｋｙ、Ｋｚを求め、この色補正係数Ｋｘ、Ｋｙ、Ｋｚをメモリ２５に格納する。なお、本実施例では、色補正係数Ｋｘ、Ｋｙ、Ｋｚは、対応する光源（その基準分光放射エネルギー特性Ｓｘ(λ)、Ｓｙ(λ)、Ｓｚ(λ)）に関連付けてメモリ２５に格納されている。これにより、測定対象を変更する際、変更後の測定対象に対応する色補正係数Ｋｘ、Ｋｙ、Ｋｚを既に取得している場合、当該色補正係数を再度求め直す工程（基準分光放射エネルギー特性Ｓを取得し直す工程）をなくすことができる。
【００５９】
このように求められた色補正係数Ｋｘ、Ｋｙ、Ｋｚは、基準分光放射エネルギー特性Ｓｘ(λ)、Ｓｙ(λ)、Ｓｚ(λ)自体の三刺激値の、基準分光放射エネルギー特性Ｓｘ(λ)、Ｓｙ(λ)、Ｓｚ(λ)の三刺激値直読型計測器１０により測定した実測値（三刺激値）に対する比であることから、この実測値に乗算することにより、当該実測値を光源の正確な三刺激値に補正することができる。なお、上記した図５のフローチャートでは、基準三刺激値Ｘｓ、Ｙｓ、Ｚｓを求めた後に、予測三刺激値Ｘｉ、Ｙｉ、Ｚｉを求めていたが、求める順序は逆でもよく、上記した実施例に限定されるものではない。
【００６０】
この三刺激値直読型計測器１０は、パーソナルコンピュータ（以下、ＰＣ３１という）に接続する（図１および図６参照）ことにより、三刺激値直読型計測システム３０を構成することができる。図６は、この三刺激値直読型計測器１０を用いた三刺激値直読型計測システム３０の概略構成を示す説明図である。
【００６１】
三刺激値直読型計測システム３０は、ＰＣ３１の制御下で三刺激値直読型計測器１０を計測器として利用しつつ、取得したデータ（後述する出力値としての三刺激値（Ｘｏ、Ｙｏ、Ｚｏ））をＰＣ３１に出力させる。
【００６２】
ＰＣ３１には、三刺激値直読型計測システム３０の操作のため、すなわち三刺激値直読型計測器１０の操作のための専用のアプリケーションプログラムが格納されており、キーボートまたはマウス等からなる入力手段３２に為された操作に応じた信号を三刺激値直読型計測器１０に出力する。また、ＰＣ３１の表示画面３３には、三刺激値直読型計測器１０の操作を補助するための表示や、測定結果としての三刺激値（後述する出力値としての三刺激値（Ｘｏ、Ｙｏ、Ｚｏ））等の表示がなされる。
【００６３】
また、ＰＣ３１では、入力手段３２を操作することにより基準分光放射エネルギー特性Ｓのデータを入力し、当該データを三刺激値直読型計測器１０の制御部１６を通じてメモリ２５（図１参照）に格納させることができる。このため、三刺激値直読型計測システム３０では、ＰＣ３１の入力手段３２が基準分光放射エネルギー特性Ｓのデータを入力するための基準分光放射エネルギー特性入力手段として機能する。加えて、ＰＣ３１では、入力手段３２により、上記した色補正係数Ｋの算出（図５のフローチャート参照）や、後述する測定対象の設定、測定開始等の操作（図７のフローチャート参照）を行うことができる。
【００６４】
さらに、ＰＣ３１では、色補正係数Ｋを求める際に必要となる基準分光放射エネルギー特性Ｓｘ(λ)、Ｓｙ(λ)、Ｓｚ(λ)のデータを、ネットワーク回線等を利用して取得することができ、取得した当該データを三刺激値直読型計測器１０の制御部１６を通じてメモリ２５（図１参照）に格納させることができる。これにより、複数の三刺激値直読型計測器１０を用いて被測定物を測定する場合には当該データの入力作業を低減することができ、各三刺激値直読型計測器１０での当該データの共有を容易なものとすることができる。これは、複数の工場で各々三刺激値直読型計測器１０を用いて被測定物を測定する場合、特に効果的である。
【００６５】
なお、三刺激値直読型計測器１０を単独で利用する場合と、三刺激値直読型計測システム３０を構成する場合とでは、各種操作のために操作部１７を用いるかＰＣ３１の入力手段３２を用いるかが異なることや、表示される箇所が表示部１８であるかＰＣ３１の表示画面３３であるかが異なることを除くと、基本的な動作、機能、効果等は同一である。以下では、本発明に係る三刺激値直読型計測器１０の補正値演算回路２６における補正について、三刺激値直読型計測システム３０での測定の流れに沿う図７のフローチャートを用いて説明する。なお、このフローチャートでは、測定対象として画像形成装置２８（図６参照）が選定されたものとしており、この画像形成装置２８に対応する色補正係数Ｋは既に求めてメモリ２５に格納してある（図５のフローチャート参照）ものとする。
【００６６】
ＰＣ３１に接続された三刺激値直読型計測器１０が、使用者により所定の位置に設置される（ステップＳ１０）。詳細には、測定対象となる画像形成装置２８における所望の位置（例えば中央部）に対して、計測光学系１１の対物レンズ１９が正対するように三刺激値直読型計測器１０が設置される（図６参照）。
【００６７】
三刺激値直読型計測器１０が起動させる（ステップＳ１１）。これは、例えば、三刺激値直読型計測器１０に設けられた電源スイッチ（図示せず）を操作することにより行うことができる。
【００６８】
ＰＣ３１に格納されたアプリケーションプログラムが起動される（ステップＳ１２）。これにより、ＰＣ３１の表示画面３３には、三刺激値直読型計測システム３０による測定のための表示画像が表示される。
【００６９】
使用者により、測定対象の設定、すなわちこの例では画像形成装置２８（図６参照）を測定対象とする旨の設定が為される（ステップＳ１３）。この測定対象の設定とは、これから行う測定における測定対象（対応する色補正係数Ｋ）を特定する設定であり、本実施例では、使用者がＰＣ３１の表示画面３３を見ながら入力手段３２を操作することにより行う。測定対象の設定が為されると、この操作に応じた信号が、ＰＣ３１から三刺激値直読型計測器１０のデータ処理部１５の制御部１６（図１および図６参照）へと出力され、制御部１６が補正値演算回路２６を制御する。
【００７０】
すると、補正値演算回路２６は、メモリ２５から選定された測定対象である画像形成装置２８（図６参照）に対応する色補正係数Ｋｘ、Ｋｙ、Ｋｚを読み込み、当該色補正係数を補正のために用いることを設定する（ステップＳ１４）。これにより、三刺激値直読型計測器１０すなわち三刺激値直読型計測システム３０では、画像形成装置２８（これと等しい基準分光放射エネルギー特性Ｓとされた光源）を測定することが可能となる。本実施例では、制御部１６は、設定が終了した旨の信号をＰＣ３１へ出力し、ＰＣ３１は、表示画面３３に、画像形成装置２８の測定が可能となった旨の表示をさせる。
【００７１】
この状態において、三刺激値直読型計測器１０による測定を開始する旨の操作がＰＣ３１の入力手段３２に為されると、三刺激値直読型計測器１０の制御部１６は、画像形成装置２８の測定を開始すべく三刺激値直読型計測器１０の各部を駆動制御する（ステップＳ１５）。すると、三刺激値直読型計測器１０では、上述したように、計測光学系１１により導かれた光を三つの受光部１２が取得し、その出力信号が三つの増幅回路１３および三つのＡ−Ｄ変換回路１４を経て測定信号Ｍ（実測値）とされて、この測定信号Ｍがデータ処理部１５の補正値演算回路２６に入力される。この測定信号Ｍは、三つの受光部１２からそれぞれ出力されることから、各刺激値に対応するＭｘ、Ｍｙ、Ｍｚを有する。これが、実測値取得工程となる。
【００７２】
補正値演算回路２６は、測定信号Ｍｘ、Ｍｙ、Ｍｚが入力されると、設定した色補正係数Ｋｘ、Ｋｙ、Ｋｚを用いて、次式（４）により当該測定信号Ｍｘ、Ｍｙ、Ｍｚを補正して出力値Ｘｏ、Ｙｏ、Ｚｏを求める（ステップＳ１６）。
【００７３】
Ｘｏ＝Ｋｘ×Ｍｘ
Ｙｏ＝Ｋｙ／Ｍｙ                                  （４）
Ｚｏ＝Ｋｚ／Ｍｚ
これが測定演算工程となる。
【００７４】
補正値演算回路２６は、補正した出力値Ｘｏ、Ｙｏ、Ｚｏを、測定結果としての三刺激値（Ｘｏ、Ｙｏ、Ｚｏ）として出力する（ステップＳ１７）。本実施例では、三刺激値直読型計測器１０から出力される三刺激値（Ｘｏ、Ｙｏ、Ｚｏ）はＰＣ３１へと送信され、表示画面３３に測定結果の三刺激値（Ｘｏ、Ｙｏ、Ｚｏ）として表示される。
【００７５】
なお、上述したように、三刺激値直読型計測器１０を単独で利用する場合、ＰＣ３１の入力手段３２への操作は操作部１７に為されることとなり、ＰＣ３１の表示画面３３での表示が表示部１８に為されることとなる。
【００７６】
本発明に係る三刺激値直読型計測器１０もしくは三刺激値直読型計測システム３０では、以下の（１）〜（９）の効果を得ることができる。
（１）等色関数Ｔと三つの刺激値受光部の分光応答度特性Ｒと基準被測定物の基準分光放射エネルギー特性Ｓとに基づいて色補正係数Ｋを求めることから、被測定物の基準分光放射エネルギー特性Ｓさえわかれば色補正係数Ｋを求めることができるので、色補正係数Ｋの算出のために三刺激値直読型計測器１０で被測定物を測定する作業をなくすことができる。換言すると、使用者は、測定に臨む準備作業として、自らが選定した測定対象の基準分光放射エネルギー特性Ｓのデータの入力操作を行うだけで、三刺激値直読型計測器１０を用いて当該測定対象の正確な三刺激値を測定することができる。
（２）三つの受光部１２における分光応答度特性Ｒと基準分光放射エネルギー特性Ｓとから予測三刺激値Ｘｉ、Ｙｉ、Ｚｉが求められていることから、この予測三刺激値Ｘｉ、Ｙｉ、Ｚｉは、基準分光放射エネルギー特性Ｓを有する光源（被測定物）を当該三つの受光部１２により測定して得られる三つの刺激値としての実測値と等しいものとなる。このため、予測三刺激値Ｘｉ、Ｙｉ、Ｚｉを基準三刺激値Ｘｓ、Ｙｓ、Ｚｓで除算することにより求められた刺激値毎の色補正係数Ｋは、その算出に用いた基準分光放射エネルギー特性Ｓを有する光源（被測定物）を測定対象とする限り、三つの受光部１２により測定して得られる各実測値（測定信号Ｍ）を適切に補正することができ、補正された各実測値すなわち正確な三つの刺激値（Ｘｏ、Ｙｏ、Ｚｏ）を得ることができる。
（３）操作部１７もしくはＰＣ３１の入力手段３２で基準分光放射エネルギー特性Ｓのデータを入力するだけで、その基準分光放射エネルギー特性Ｓのデータに基づいて色補正係数Ｋを求めることができ、この基準分光放射エネルギー特性Ｓとされた光源（被測定物）を測定対象とすることができる。このため、例えば、光源（被測定物）において設定されている設計値としての基準分光放射エネルギー特性Ｓのデータを入力すれば、色補正係数Ｋの算出のための被測定物（その基準となる光源）の測定を行うことなく当該被測定物に対応する適切な色補正係数Ｋを求めることができ、この被測定物の三刺激値を適切に測定することができる。
（４）三つの分光感度補正フィルタ２３と三つの受光素子２４とがそれぞれ組み付けられた状態における三つの受光部１２を実測することにより得られた分光応答度特性Ｒ、すなわち各三刺激値直読型計測器１０に搭載された三つの受光部１２の固有の分光応答度特性Ｒを用いて色補正係数Ｋを求めることから、各受光部１２により取得された実測値（測定信号Ｍ）をより適切に補正することができ、より適切な三刺激値を得ることができる。換言すると、色補正係数Ｋを求める際に用いる分光応答度特性Ｒは、三つの分光感度補正フィルタ２３と三つの受光素子２４とがそれぞれ組み付けられた状態における三つの受光部１２を実測することにより得られていることから、三刺激値直読型計測器１０を用いた実際の測定の場面に合致するので、実測値（測定信号Ｍ）をより適切に補正することができる。
（５）色補正係数Ｋを求める際に用いる分光応答度特性Ｒは、予め実測されてメモリ２５に格納されていることから、三刺激値直読型計測器１０毎の器差も含めて容易に補正することができる。
（６）三刺激値直読型計測器１０または三刺激値直読型計測システム３０としてのＰＣ３１に分光型計測器（図示せず）を接続し、この分光型計測器で被測定物（その基準となる光源）の基準分光放射エネルギー特性Ｓを測定することにより、この基準分光放射エネルギー特性Ｓに基づく色補正係数Ｋを求めることができ、当該基準分光放射エネルギー特性Ｓとされた光源（被測定物）を測定対象とすることができる。このため、例えば、光源（被測定物）において設定されている設計値としての基準分光放射エネルギー特性Ｓのデータが入手できない場合であっても、簡易に当該被測定物に対応する適切な色補正係数Ｋを求めることができ、この被測定物の三刺激値を適切に測定することができる。
（７）特に、本発明に係る三刺激値直読型計測システム３０では、三刺激値直読型計測器１０により測定値としての三刺激値（Ｘｏ、Ｙｏ、Ｚｏ）が取得されると、この三刺激値（Ｘｏ、Ｙｏ、Ｚｏ）がＰＣ３１へと出力されるので、各測定値の管理を容易なものとすることができる。このことは、特に、大量の測定対象の品質の検査のために測定を行う場合、各測定結果（取得したデータ）の管理が容易となることから、より効果的である。
（８）また、本発明に係る三刺激値直読型計測システム３０では、ＰＣ３１においてネットワーク回線等を利用して基準分光放射エネルギー特性Ｓｘ(λ)、Ｓｙ(λ)、Ｓｚ(λ)のデータを取得することができるので、当該データの入力作業を低減することができ、当該データの共有を容易なものとすることができる。このことは、例えば、複数の工場が点在している等のように複数の場所で測定を行う場合、総ての場所での同一の基準分光放射エネルギー特性Ｓｘ(λ)、Ｓｙ(λ)、Ｓｚ(λ)のデータの共有を容易なものとすることができ、特に効果的である。
（９）色補正係数Ｋを求めるための測定を必要としないことから、より簡易に測定を行うことができる。これは、次のことによる。例えば、１台の三刺激値直読型計測器で１００種類の画像形成装置の表示画像の品質の検査を行う場合、従来の三刺激値直読型計測器では、使用者は、当該三刺激値直読型計測器と分光型計測器とで１００種類の画像形成装置（またはそれに対応する補正用の光源）を１００回ずつ、合計２００回測定して、１００種類の画像形成装置（その基準分光放射エネルギー特性Ｓ（スペクトル形状））に対応する色補正係数を求める必要があった。これに対し、本発明に係る三刺激値直読型計測器１０では、使用者は、１００種類の画像形成装置の基準分光放射エネルギー特性Ｓを取得し、それに対応する設定（色補正係数Ｋを求めさせることとその色補正係数Ｋを用いるように設定すること）をするだけで、測定を開始することができる。このため、測定を行うための準備作業を大幅に短縮できるとともに、その準備作業に関する多くのデータを管理する手間を省くことができる。このことは、次のような場合に特に有効である。
【００７７】
図８は、複数の画像形成装置２８の表示画像の品質の検査を行っている様子を示す説明図であり、（ａ）は本発明に係る三刺激値直読型計測器１０を用いた場合を示し、（ｂ）は従来の三刺激値直読型計測器１を用いた場合を示している。
【００７８】
図８に示すように、同一の型式（スペクトル形状が同一）の画像形成装置２８を、五つの異なる工場Ｆ１〜Ｆ５で生産しているものとする。この工場Ｆ１〜Ｆ５には、それぞれ三刺激値直読型計測器（１０または１）が１０台ずつ配備されているものとする。
【００７９】
従来の三刺激値直読型計測器１を用いて生産した各画像形成装置２８の表示画像の品質の検査を行う場合、図８（ｂ）に示すように、各工場Ｆ１〜Ｆ５の１０台の三刺激値直読型計測器を総て単一の場所（図示の例では工場Ｆ３）に集める必要があり、これにともなって、各工場Ｆ１〜Ｆ５で生産された総ての画像形成装置２８を単一の場所（図示の例では工場Ｆ３）に集める必要があった。これは、以下のことによる。各工場Ｆ１〜Ｆ５の各々１０台の三刺激値直読型計測器では、それぞれの器差があることから、各画像形成装置２８の表示画像の品質の検査を精度よく行うためには、その総て（５０台）について色補正係数を求める必要がある。ここで、従来の三刺激値直読型計測器１では、各々で基準となる画像形成装置２８を測定して色補正係数を求める必要があるが、この測定結果には測定環境が影響することから、総て（５０台）の三刺激値直読型計測器１間において測定値（補正後の実測値）に差異を生じさせないように各々の色補正係数を求めるためには、同一の測定環境下で総ての色補正係数を求める必要がある。また、求めた色補正係数は、その測定環境と同一の環境下において正確に補正を行うことができるものである。このため、工場Ｆ１〜Ｆ５の各々に１０台の三刺激値直読型計測器が配備されていても、各工場Ｆ１〜Ｆ５で生産された総ての画像形成装置２８を、高い精度で表示画像の品質の検査を行うには、単一の場所（図示の例では工場Ｆ３）に集める必要があった。
【００８０】
これに対し、本発明に係る三刺激値直読型計測器１０を用いる場合、図８（ａ）に示すように、各工場Ｆ１〜Ｆ５において、配備された１０台の三刺激値直読型計測器１０を用いて各画像形成装置２８の表示画像の品質の検査を行うことができる。これは、以下のことによる。各工場Ｆ１〜Ｆ５の各々１０台の三刺激値直読型計測器１０では、それぞれの器差があることから、各画像形成装置２８の表示画像の品質の検査を精度よく行うためには、その総て（５０台）について色補正係数Ｋを求める必要があることは、従来の三刺激値直読型計測器１と同様である。ここで、本発明に係る三刺激値直読型計測器１０では、各々で基準となる画像形成装置２８を測定することなく色補正係数Ｋを求めることができるので、各工場Ｆ１〜Ｆ５において正確に色補正係数Ｋを求めることができ、検査の準備段階での条件を統一することができる。さらに、求めた色補正係数Ｋは、各工場Ｆ１〜Ｆ５において正確に補正を行うことができるものである。このため、工場Ｆ１〜Ｆ５の各々に１０台の三刺激値直読型計測器１０が配備されていれば、各工場Ｆ１〜Ｆ５で生産された総ての画像形成装置２８を、各工場Ｆ１〜Ｆ５において、１０台の三刺激値直読型計測器１０を用いて高い精度で表示画像の品質の検査を行うことができることとなる。
【００８１】
さらに、本発明に係る三刺激値直読型計測システム３０を用いた場合、例えば、工場Ｆ３で画像形成装置２８の設計値としての基準分光放射エネルギー特性Ｓを、１台の三刺激値直読型計測器１０へＰＣ３１の入力手段３２により入力したものとする。すると、工場Ｆ３では、ネットワーク回線等を利用することにより、総て（１０台）の三刺激値直読型計測器１０において、入力作業を行うことなく基準分光放射エネルギー特性Ｓを取得させることができる。同様に、ネットワーク回線等を利用することにより、工場Ｆ１、Ｆ２、Ｆ３およびＦ４における総て（４０台）の三刺激値直読型計測器１０に、基準分光放射エネルギー特性Ｓを取得させることができる（矢印Ｄ参照）。
【００８２】
したがって、本発明に係る三刺激値直読型計測器１０では、新たな光源（被測定物）に対応する色補正係数Ｋの設定のための作業を大幅に低減しつつ正確な測定値としての三刺激値を得ることができる。
【００８３】
なお、上記した実施例では、等色関数Ｔを記憶する等色関数記憶手段、基準分光放射エネルギー特性Ｓを記憶する基準分光放射エネルギー特性記憶手段および色補正係数Ｋを記憶する色補正係数記憶手段としてのメモリ２５が設けられた三刺激値直読型計測器１０とＰＣ３１とにより、三刺激値直読型計測システム３０が構成されていたが、三刺激値直読型計測システムとして等色関数記憶手段、基準分光放射エネルギー特性記憶手段および色補正係数記憶手段を有していればよいことから、例えば、ＰＣ３１に等色関数記憶手段、基準分光放射エネルギー特性記憶手段および色補正係数記憶手段が設けられていてもよく、上記した実施例に限定されるものではない。この場合、例えば、三刺激値直読型計測システム３０のためのアプリケーションプログラムに、等色関数記憶手段、基準分光放射エネルギー特性記憶手段および色補正係数記憶手段に相当する機能を具備させることにより、実現することができる。なお、分光応答度特性Ｒは、各三刺激値直読型計測器１０の固有のものであることから、分光応答度特性記憶手段は各三刺激値直読型計測器１０に設けられていることが望ましい。
【００８４】
また、上記した実施例では、補正値演算部としての補正値演算回路２６と色補正係数算出部としての色補正係数算出回路２７とが設けられた三刺激値直読型計測器１０とＰＣ３１とにより、三刺激値直読型計測システム３０が構成されていたが、三刺激値直読型計測システムとして補正値演算部と色補正係数算出部とを有していればよいことから、例えば、ＰＣ３１に補正値演算部と色補正係数算出部とが設けられていてもよく、上記した実施例に限定されるものではない。この場合、例えば、三刺激値直読型計測システム３０のためのアプリケーションプログラムに、補正値演算部と色補正係数算出部とに相当する機能を具備させることにより、実現することができる。
【００８５】
さらに、上記した実施例では、三刺激値直読型計測器１０において、メモリ２５が、等色関数Ｔを記憶する等色関数記憶手段、基準分光放射エネルギー特性Ｓを記憶する基準分光放射エネルギー特性記憶手段、色補正係数Ｋを記憶する色補正係数記憶手段および分光応答度特性Ｒを記憶する分光応答度特性記憶手段として機能していたが、これらは同一の記憶手段（メモリ）で構成されていなくてもよく、上記した実施例に限定されるものではない。例えば、分光応答度特性Ｒは、三刺激値直読型計測器１０における固定された固有のデータであり、等色関数Ｔは、固定されたデータであることから、分光応答度特性記憶手段および等色関数記憶手段をＲＯＭ等のような読み出し専用の媒体で構成し、基準分光放射エネルギー特性記憶手段および色補正係数記憶手段をＲＡＭ等のような読み書き自在の媒体で構成してもよい。
【００８６】
上記した実施例では、三刺激値直読型計測器１０では、操作部１７に為された入力操作によりまたは接続された分光型計測器（図示せず）から基準分光放射エネルギー特性Ｓのデータを取得可能とされていたが、他の三刺激値直読型計測器１０との間でのデータの受け渡しにより取得可能な構成とすることができ、上記した実施例に限定されるものではない。この場合、例えば、２つの三刺激値直読型計測器１０間でのデータの受け渡しのための無線通信手段を設ける構成であってもよく、２つの三刺激値直読型計測器１０間でのデータの受け渡しのためのケーブルを接続する構成であってもよい。
【００８７】
上記した実施例では、本発明にかかる刺激値直読型計測器として、三刺激値（Ｘｏ、Ｙｏ、Ｚｏ）を計測する三刺激値直読型計測器１０について説明したが、三刺激値のうちの１つについて測定する刺激値直読型計測器（例えば、輝度計や照度計（この場合は三刺激値のうちＹのみを用いる））であってもよく、上記した実施例に限定されるものではない。
【符号の説明】
【００８８】
１０  三刺激値直読型計測器
１２  受光部
１７  （基準分光放射エネルギー特性入力手段としての）操作部
２３  （光学フィルタとしての）分光感度補正フィルタ
２４  受光素子
２５  （等色関数記憶手段、基準分光放射エネルギー特性記憶手段、色補正係数記憶手段および分光応答度特性記憶手段としての）メモリ
２６  （補正値演算部としての）補正値演算回路
２７  （色補正係数算出部としての）色補正係数算出回路
２８  （被測定物としての）画像形成装置
３０  三刺激値直読型計測システム
３２  （基準分光放射エネルギー特性入力手段としての）入力手段
Ｋ  色補正係数
Ｍ  （実測値としての）測定信号
Ｒ  分光応答度特性
Ｓ  基準分光放射エネルギー特性
Ｔ  等色関数
Ｘｉ、Ｙｉ、Ｚｉ  予測三刺激値
Ｘｓ、Ｙｓ、Ｚｓ  基準三刺激値
Ｘｏ、Ｙｏ、Ｚｏ  （測定値として出力値される）三刺激値
【図１】
2010164355.tif 000006
【図２】
2010164355.tif 000007
【図３】
2010164355.tif 000008
【図４】
2010164355.tif 000009
【図５】
2010164355.tif 000010
【図６】
2010164355.tif 000011
【図７】
2010164355.tif 000012
【図８】
2010164355.tif 000013